(57)【要約】      （修正有）【課題】簡単な構成で十分な強度を有し、安価に設置することができるとともに、猪が乗り越えることができず且つ地面を掘って侵入することも確実に防止することができる猪侵入防止柵を提供する。【解決手段】横方向に間隔をおいて配置された複数の縦方向の鋼線１と、上下方向に間隔をおいて配置された複数の横方向の鋼線２との交点が結合された地上に位置するフェンス部Ｆと、フェンス部Ｆから突出した縦方向の鋼線１の下部を地中に埋める埋め込み部３とした猪侵入防止柵において、フェンス部Ｆの猪が飛び超えない上半分の高さまでを横方向の鋼線２が狭い間隔で配置され、残りの半分の高さは広い間隔で配置されていることを特徴とする。【選択図】図１
0003145084.tif 000002
【実用新案登録請求の範囲】
【請求項１】
横方向に間隔をおいて配置された複数の縦方向の鋼線と、上下方向に間隔をおいて配置された複数の横方向の鋼線との交点が結合された地上に位置するフェンス部と、フェンス突出した縦方向の鋼線の下部を地中に埋める埋め込み部とした猪侵入防止柵において、
フェンス部の猪が飛び超えない上半分の高さまでを横方向の鋼線が狭い間隔で配置され、残りの半分の高さは広い間隔で配置されていることを特徴とする猪侵入防止柵。
【請求項２】
縦方向の鋼線と横方向の鋼線が亜鉛メッキ鋼線であることを特徴とする請求項１記載の猪侵入防止柵。
【請求項３】
縦方向の鋼線と横方向の鋼線の外径が５．０ｍｍで、縦方向の鋼線が横方向に２４５ｍｍの間隔で配置され、横方向の鋼線が、フェンス部の下から６００ｍｍまで間隔６０ｍｍで位置されるとともに、残りの上半分は下から順に、１６０ｍｍ、１７０ｍｍ、１８０ｍｍの間隔で配置されていることを特徴とする請求項１または２記載の猪侵入防止柵。
【考案の詳細な説明】
【技術分野】
【０００１】
本考案は、猪が畑に侵入して作物を荒らすのを防止するために畑の周囲に設ける猪侵入防止柵に関する。
【背景技術】
【０００２】
山林伐採などの自然破壊により、害獣、特に猪が山里に下りてきて畑の農作物を食い荒らすなどの被害が増加しいている。そこで、その防衛策として畑の周囲を柵で囲み、猪が畑に侵入するのを防止する方式が多く提案されている。
【０００３】
特許文献１には、図３（ａ）に示すように、縦メンバ１の上に複数の横メンバ２を、縦メンバ１の上端近くから４００ｍｍ〜５００ｍｍの間隔を持たせて配置し、かかる横メンバ２の組と縦メンバ１とによりフェンス体をフレームレス形成とすると共に、配置した横メンバ２の組の最下位のものより下方に２００ｍｍ〜７０ｍｍの間隔で横メンバ２と同じ鋼棒による副横メンバを縦メンバ１の上に配置し、各縦メンバ１と各横メンバ２の交叉部を溶接により接合することにより、最下位の横メンバの組より下方に位置する縦メンバ１を櫛歯状部３とし、同部を地中に突刺して埋設し、小動物がフェンスの下に穴を堀っても通り抜けることができないようにした防獣フェンスが記載されている。
【０００４】
また、特許文献２には、防獣フェンスは、垂直方向に所要本数並設されており、線材からなるフェンス部材１と、フェンス部材１の上端部に設けてあり、水平方向に配置してある上部連結部材２と、上部連結部材２から所要距離下方に隔てて設けてあり、水平方向に配置してある下部連結部材２と、フェンス部材１のうち下部連結部材２から下方に突出している部分で構成されている埋設部３とを備え、埋設部３は地中に埋設されて、地面を掘って侵入してくる動物の侵入を防止するようにした高速道路用防獣フェンス構造体が開示されている。
【０００５】
また、特許文献３には、フェンスの下辺から下方に向けて突出している線材３を、傾斜面の土中に突き刺すだけで、フェンスの下辺と傾斜面との間に余分な隙間が生じないように、傾斜面にフェンスを容易に設置することができ、猪の侵入を防止でき、複数本の線材が傾斜面に突き刺されているので、猪がその付近の土を掘ったとしても土中に埋もれていた線材が柵のようにそこに現われ出るから、その付近の孔からの猪の侵入を防止できる猪通行阻止用フェンスが記載されている。
【特許文献１】実用新案登録第１４０９９９号公報
【特許文献２】実公平７−１２４１２号公報
【特許文献３】実用新案登録第３１４０９９９号公報
【考案の開示】
【考案が解決しようとする課題】
【０００６】
前記特許文献１〜３に記載された猪侵入防止柵はいずれも、フェンスの下端を埋設して猪が地面を掘って侵入してくるのを防止するようにしたものであるが、地面から上のフェンス部分は動物が通り抜けない間隔で鋼棒あるいは鋼線が格子状に並べられているため、鋼棒あるいは鋼線が少ないと十分な強度が得られず、また多すぎると材料が無駄になり、コスト高となる。
【０００７】
そこで、本考案は、簡単な構成で十分な強度を有し、安価に設置することができるとともに、猪が乗り越えることができず且つ地面を掘って侵入することも確実に防止することができる猪侵入防止柵を提供することにある。
【課題を解決するための手段】
【０００８】
請求項１の考案は、横方向に間隔をおいて配置された複数の縦方向の鋼線と、上下方向に間隔をおいて配置された複数の横方向の鋼線との交点が結合された地上に位置するフェンス部と、フェンス部から突出した縦方向の鋼線の下部を地中に埋める埋め込み部とした猪侵入防止柵において、フェンス部の猪が飛び超えない上半分の高さまでを横方向の鋼線が狭い間隔で配置され、残りの半分の高さは広い間隔で配置されていることを特徴とする。
【０００９】
請求項２の考案は、縦方向の鋼線と横方向の鋼線が亜鉛メッキ鋼線であることを特徴とする。
【００１０】
請求項３の考案は、縦方向の鋼線と横方向の鋼線の外径が５．０ｍｍで、縦方向の鋼線が横方向に２４５ｍｍの間隔で配置され、横方向の鋼線が、フェンス部の下から６００ｍｍまで間隔６０ｍｍで位置されるとともに、残りの上半分は下から順に、１６０ｍｍ、１７０ｍｍ、１８０ｍｍの間隔で配置されていることを特徴とする。
【考案の効果】
【００１１】
本考案は、フェンス部の下半分は、横方向の鋼線が狭い間隔で配置されているため、猪侵入防止柵の強度を上げることができるとともに、猪の侵入を阻止することができる。また、上半分は、猪が乗り越えられないので広い間隔にして鋼線の強度を維持するのに必要な本数で済む。また、横方向の鋼線の本数が少ないので、強風による風圧を低減することができるので、倒壊を防止することができる。
【考案を実施するための最良の形態】
【００１２】
本考案の実施例について図面により説明する。
【実施例】
【００１３】
図１は本考案の猪侵入防止柵のユニットを示す図である。
【００１４】
図１において、本考案の猪侵入防止柵のユニットは、横方向に間隔をおいて配置された複数の縦方向の鋼線１と、上下方向に間隔をおいて配置された複数の横方向の鋼線２が格子状に結合されて構成されている。猪侵入防止柵のユニットは、例えば、縦（高さ）が約１２００ｍｍ、横が約２０００ｍｍの長方形に形成されている。
【００１５】
横方向に間隔（図１では約２４５ｍｍ）をおいて複数（図１では９本）の縦方向の鋼線１が配置される。鋼線１には、例えば、錆を防ぐため、亜鉛メッキ鋼線を使用する。鋼線１は、外径が約５．０ｍｍのもので十分な強度が得られる。
【００１６】
上下方向に間隔をおいて複数の横方向の鋼線２が配置される。縦方向の鋼線１と横方向の鋼線２とが接する交点が溶接により結合されて格子状をした地上に位置するフェンス部Ｆが形成される。
【００１７】
フェンス部Ｆの上半分の高さまで横方向の鋼線２が狭い間隔（図１では約６０ｍｍ）で配置され、残りの半分の高さは広い間隔（図１では下から順に、約１６０ｍｍ、約１７０ｍｍ、約１８０ｍｍ）で配置される。
【００１８】
横方向の鋼線２がフェンス部の下半分で狭い間隔で配置されているため、狭い間隔で横方向の鋼線２と縦方向の鋼線１を結合できるので、強度を維持するに必要な最低の本数で横方向の強度を上げることができる。さらに、縦方向の鋼線１の間隔を広くできる結果、縦方向の鋼線１の本数を減らすことができる。また、猪が格子の間から侵入するのを防止することができる。
【００１９】
また、横方向の鋼線２がフェンス部の上半分は、猪が乗り越えられないので広い間隔にしてユニットの強度を維持するに必要な本数で済む。また、横方向の鋼線の本数が少ないので、強風によるユニットが受ける風圧を低減することができる。その結果、台風などによる倒壊を防止できる。
【００２０】
フェンス部Ｆから延びた、縦方向の鋼線１の下部は、地中に埋める埋め込み部とする。埋め込み部を地中に埋め込むことにより、猪が穴を堀っても通り抜けることできない。
【００２１】
図２は本考案の猪侵入防止柵のユニットを並べて設置した状態を示す図である。
【００２２】
本考案の猪侵入防止柵のユニットは、予め工場で製造される。工場で製造した猪侵入防止柵のユニットを設置現場に運んで設置する。
【００２３】
図２において、地面に間隔をおいて立てた支柱４の間に、猪侵入防止柵のユニットを、埋設部３を埋め込んで位置決めし、縦鋼線１を支柱４に固定具５で締め付けて固定することで、簡単に設置することができる。
【図面の簡単な説明】
【００２４】
【図１】本考案の猪侵入防止柵のユニットを示す図である。
【図２】本考案の猪侵入防止柵のユニットを並べて設置した状態を示す図である。
【図３】従来の猪侵入防止柵を示す図である。
【符号の説明】
【００２５】
１：縦鋼線
２：横鋼線
３：埋設部
４：支柱
５：固定具
【図１】
0003145084.tif 000003
【図２】
0003145084.tif 000004
【図３】
0003145084.tif 000005